(57)【特許請求の範囲】
【請求項１】
接触板と、この接触板の一端に折曲された折曲片と、前記接触板に向くように前記折曲片より切起こされた鎖錠片とを備え、前記鎖錠片の先端に逆三角形状に形成した鎖錠部を有し、前記鎖錠部の根元付近を前記鎖錠片の切起こし方向と同方向に屈曲したことを特徴とする速結端子。
【請求項２】
前記鎖錠片が前記折曲片に一対並設されている請求項１記載の速結端子。
【請求項３】
前記接触板の他端に前記鎖錠片の電線挿入方向と異なる方向の速結部を有する請求項２記載の速結端子。
【請求項４】
前記接触板を収納する収納部を有し前記鎖錠片および速結部に臨む電線挿入孔を有するケースを設けた請求項３記載の速結端子。
【発明の詳細な説明】
【０００１】
【発明の属する技術分野】
この発明は、照明器具等に用いる電源端子台等に適用される速結端子に関するものである。
【０００２】
【従来の技術】
従来例を図６により説明する。導電性ばね部材により形成した接触板５０の一端に略直角に折曲片５１を折曲し、鎖錠片５２は折曲片５１を接触板５０側に切起こすことにより形成している。５７は電線である。
【０００３】
電線５７を鎖錠片５２の切り抜き穴５８を通して接触板５０と鎖錠片５２との間に挿通すると、電線５７の外径分鎖錠片５２が切り抜き穴５８から離れるように傾き電線５７に抜止め係止する。
【０００４】
【発明が解決しようとする課題】
従来、切起こしだけによる加工で形成された鎖錠片５２については電線５７を挿入させる際、鎖錠片５２の長さＬ0 の不足や切曲角度θ0 が大きくとれない等の理由により電線挿入力が高くなり電線３７が挿入しにくいという欠点があった。
【０００５】
図７に示す別の従来例は折曲片５１の先端より延長片５３を円弧状に接触板側に延長しその先端に鎖錠片５２′を延出している。しかし、この従来例は、長尺材が必要となり多くの材料が使用される。
【０００６】
したがって、この発明の目的は、材料を長く必要とすることなく、電線挿入力を低減することができる速結端子を提供することである。
【０００７】
【課題を解決するための手段】
請求項１記載の速結端子は、接触板と、この接触板の一端に折曲された折曲片と、前記接触板に向くように前記折曲片より切起こされた鎖錠片とを備え、前記鎖錠片の先端に逆三角形状に形成した鎖錠部を有し、前記鎖錠部の根元付近を前記鎖錠片の切起こし方向と同方向に屈曲したことを特徴とするものである。
【０００８】
請求項１記載の速結端子によれば、鎖錠片の先端を切起こし方向と同方向に屈曲する曲げ加工を追加したため、鎖錠片を切起こす際の切り抜き穴より電線が挿入される際に接触する鎖錠片の先端の曲げ角度が大きくとれるので電線挿入力を低減することができ、従来例と比較して材料を長く必要としない。また電線と鎖錠片が当接する力も有効に大きく働くことができるため接触が安定する。鎖錠片の長さを従来例よりも長くするとより一層電線挿入力を軽くできるが、長くしても切起こしにより鎖錠片を形成しているため、ばね材の長さを長くする必要がない。また電線と鎖錠片が当接する角度を従来例と同じにした場合には鎖錠片から接触板の折曲片のある一端までの距離が短くてすみ小型化できる。
【００１１】
請求項２記載の速結端子は、請求項１において、前記鎖錠片が前記折曲片に一対並設されているものである。
【００１２】
請求項２記載の速結端子によれば、請求項１と同様な効果がある。
【００１３】
請求項３記載の速結端子は、請求項２において、前記接触板の他端に前記鎖錠片の電線挿入方向と異なる方向の速結部を有するものである。
【００１４】
請求項３記載の速結端子によれば、請求項２と同様な効果がある。
【００１５】
請求項４記載の速結端子は、請求項３において、前記接触板を収納する収納部を有し前記鎖錠片および速結部に臨む電線挿入孔を有するケースを設けたものである。
【００１６】
請求項４記載の速結端子によれば、請求項３と同様な効果がある。
【００１７】
【発明の実施の形態】
この発明の第１の実施の形態を図１から図５により説明する。すなわち、この電線接続器は、接触板１と、折曲片２と、鎖錠片３とを有する。
【００１８】
接触板１は導電性ばね部材により形成され、挿入された電線４の一側に当接するものである。また図５に示すように接触板１の他端に鎖錠片３の電線挿入方向と異なる方向の速結部５を有する。
【００１９】
折曲片２は接触板１の一端に例えば略直角に折曲されている。
【００２０】
鎖錠片３は接触板１に向くように折曲片２より切起こされ、鎖錠片３の先端を鎖錠片３の切起こし方向と同方向に屈曲、すなわち切起こし角θ1 より大きな角度θ2 （θ2 ＞θ1 ）で同方向に屈曲して屈曲部７を形成している。鎖錠片３の先端の屈曲部７に逆三角形状に形成した鎖錠部６を有し、鎖錠部６の根元付近を屈曲部７の屈曲位置とし、鎖錠部６の先端は接触板１に近接ないし当接している。また鎖錠片３が折曲片２に一対並設されている。
【００２１】
ケース１０は、図５に示すように接触板１を収納する収納部３１を有し、鎖錠片３および速結部５に臨む電線挿入孔１８、２２を有する。
【００２２】
電線４を折曲片２の鎖錠片３の切り抜き穴８から挿入し鎖錠部６と接触板１との間に挿通すると、鎖錠片３が押上げられる力の反作用で電線４を接触板１に押付け、鎖錠部６で抜止め係止する。
【００２３】
図５に示す速結端子は電源端子台に適用したものである。ケース５は樹脂ボディ１６と樹脂カバー１７からなる。樹脂ボディ１６において、１８は電線挿入孔、１９はカバー取付爪、２０は取付爪である。樹脂カバー１７において、２２は電線挿入孔、２３は解錠穴、２４は電線挿通孔、２５は爪係止孔である。
【００２４】
１４はアース用速結端子、１５はその下縁に接触するアース舌片である。
【００２５】
２６は取付板であり、２７は取付爪２０が係止する角穴、２８はアース舌片１５が係止する孔、２９は取付ねじ用穴、３０は樹脂ボディ１６に形成した位置決め突起（図示せず）が嵌合する穴、３１は穴２９に通す取付ねじである。
【００２６】
第１の実施の形態によれば、鎖錠片３の先端を切起こし方向と同方向に屈曲する曲げ加工を追加したため、鎖錠片３を切起こす切り抜き穴８より電線４が挿入される際に接触する屈曲部７の曲げ角度が大きくとれるので、従来例では図３（ａ）に示すように電線挿入力Ｆ0 であるのに対して、実施の形態では図３（ｂ）は電線挿入力Ｆ1 となり、Ｆ0 ＞Ｆ1 であり、電線挿入力を低減することができる。また電線４と鎖錠片３が当接する力も有効に大きく働くため接触が安定する。さらに別の従来例と比較して材料を長く必要とせず、材料節減になる。
【００２７】
図２に示すように鎖錠片３の長さ（Ｌ1 ＋Ｌ2 ）を鎖錠片３の先端に屈曲部７のない直線状の従来例Ｌ0 よりも長くすることにより電線挿入力がさらに軽くなるが、たとえ鎖錠片３を長くしても切起こしにより鎖錠片３を形成したため、ばね材の長さを長くする必要がない。
【００２８】
また図４に示すように、図４（ａ）に示すように電線４と鎖錠片３が当接する角度を図４（ｂ）の従来例と同じに例えば４７度とした場合には、鎖錠部６から接触板１の折曲片２のある一端までの距離が、実施の形態がＬ1 に対して従来例がＬ2 となり、Ｌ1 ＜Ｌ2 であり、Ｌ1 が短くてすみ小型化できる。
【００２９】
【発明の効果】
請求項１記載の速結端子によれば、鎖錠片の先端を切起こし方向と同方向に屈曲する曲げ加工を追加したため、鎖錠片を切起こす際の切り抜き穴より電線が挿入される際に接触する鎖錠片の先端の曲げ角度が大きくとれるので電線挿入力を低減することができ、従来例と比較して材料を長く必要としない。また電線と鎖錠片が当接する力も有効に大きく働くことができるため接触が安定する。鎖錠片の長さを従来例よりも長くするとより一層電線挿入力を軽くできるが、長くしても切起こしにより鎖錠片を形成しているため、ばね材の長さを長くする必要がない。また電線と鎖錠片が当接する角度を従来例と同じにした場合には鎖錠片から接触板の折曲片のある一端までの距離が短くてすみ小型化できる。
【００３１】
請求項２記載の速結端子によれば、請求項１と同様な効果がある。
【００３２】
請求項３記載の速結端子によれば、請求項２と同様な効果がある。
【００３３】
請求項４記載の速結端子によれば、請求項３と同様な効果がある。
【図面の簡単な説明】
【図１】この発明の一実施の形態の速結端子の要部斜視図である。
【図２】その側面図である。
【図３】速結端子の電線挿入力を説明するもので（ａ）は従来例の側面図、（ｂ）は実施の形態の側面図である。
【図４】速結端子の小型化を説明するもので、（ａ）は実施の形態の側面図、（ｂ）は比較例の側面図である。
【図５】電源端子台の分解斜視図である。
【図６】従来例を示し、（ａ）は一部の外観斜視図、（ｂ）はその側面図である。
【図７】別の従来例の外観斜視図である。
【符号の説明】
１    接触板
２    折曲片
３    鎖錠片
４    電線
５    速結部
６    鎖錠部
７    屈曲部
８    切り抜き穴
１０    ケース
１１    速結端子
１８    電線挿入孔
３１    収納部
【図１】
0003754255.tif 000002
【図２】
0003754255.tif 000003
【図３】
0003754255.tif 000004
【図４】
0003754255.tif 000005
【図５】
0003754255.tif 000006
【図６】
0003754255.tif 000007
【図７】
0003754255.tif 000008